(57)【要約】【課題】所定の発熱部品から発生する熱が他の電装品へ漏れ出すことを抑え、空気調和装置の室外機の信頼性や性能を確保する【解決手段】室外機の電装品ユニット５０は、空気調和装置の室外機において所定の発熱部品を含む複数の電装品を収納する電装品ユニットである。この電装品ユニット５０は、基板７１と、ケーシング９０と、仕切り部材９５，９６とを備えている。基板７１は、複数の電装品を実装している。ケーシング９０は、基板を取り囲むものである。仕切り部材９５，９６は、ケーシングの内部を、所定の発熱部品がある第１空間Ｒ１１，Ｒ１２と所定の発熱部品以外の電装品がある第２空間Ｒ２１，Ｒ２２とに仕切る。【選択図】　　　　図７
2004093085.tif 000002
【特許請求の範囲】
【請求項１】
空気調和装置の室外機（３）において所定の発熱部品を含む複数の電装品を収納する電装品ユニット（５０，１５０）であって、
前記複数の電装品を実装する基板（７１）と、
前記基板を取り囲むケーシング（９０）と、
前記ケーシングの内部を前記所定の発熱部品がある第１空間（Ｒ１１，Ｒ１２）と前記所定の発熱部品以外の電装品がある第２空間（Ｒ２１，Ｒ２２）とに仕切る仕切り部材（９５，９５ａ，９５ｂ，９５ｃ，９６，９６ａ，９６ｂ，９６ｃ）と、
を備えた室外機の電装品ユニット。
【請求項２】
前記基板は、その下面が前記複数の電装品を実装する実装面（７１ａ）となっており、
前記仕切り部材は、前記ケーシングから前記基板に向けて上方に延び前記ケーシングの内部のうち前記基板の下方の空間（Ｒ１１，Ｒ２１）を前記第１空間（Ｒ１１）と前記第２空間（Ｒ２１）とに仕切る第１仕切り板（９６，９６ａ，９６ｂ，９６ｃ）を有している、
請求項１に記載の室外機の電装品ユニット。
【請求項３】
前記仕切り部材は、さらに、前記ケーシングから前記基板に向けて下方に延び前記ケーシングの内部のうち前記基板の上方の空間（Ｒ１２，Ｒ２２）を前記第１空間（Ｒ１２）と前記第２空間（Ｒ２２）とに仕切る第２仕切り板（９５，９５ａ，９５ｂ，９５ｃ）を有している、
請求項２に記載の室外機の電装品ユニット。
【請求項４】
前記仕切り部材（９５，９５ａ，９５ｂ，９５ｃ，９６，９６ａ，９６ｂ，９６ｃ）は、前記基板との距離が２ｍｍ以内である、
請求項１から３のいずれかに記載の室外機の電装品ユニット。
【請求項５】
前記所定の発熱部品は、パワートランジスタ（８８）である、
請求項１から４のいずれかに記載の室外機の電装品ユニット。
【請求項６】
前記所定の発熱部品は、前記複数の電装品の中で最も発熱量の大きい部品である、
請求項１から４のいずれかに記載の室外機の電装品ユニット。
【請求項７】
前記所定の発熱部品には、放熱フィンを有する放熱器（８９）が装着される、請求項１から６のいずれかに記載の室外機の電装品ユニット。
【請求項８】
前記第１空間および前記第２空間それぞれにおいて空気の流れ（Ｆ１，Ｆ２，Ｆ３，Ｆ４）が発生するように、前記ケーシングに複数の開口（Ｏ１，Ｏ２，Ｏ３，Ｏ４）が形成されている、
請求項１から７のいずれかに記載の室外機の電装品ユニット。
【発明の詳細な説明】
【０００１】
【発明の属する技術分野】
本発明は、空気調和装置の室外機において所定の発熱部品を含む複数の電装品を収納する電装品ユニットに関する。
【０００２】
【従来の技術】
空気調和装置の室外機は、難燃性樹脂や金属等の難燃性材料からなる室外機ケーシング内に、熱交換器、室外ファン、圧縮機、リアクタ等を有している。また、室外機ケーシング内には、パワートランジスタやコンデンサ等の各種電装品を内蔵する電装品ユニットが配置されている。この電装品ユニット内の制御回路によって、室外ファンや圧縮機等に駆動電力が供給されるとともに、それらの駆動制御が為される。電装品ユニット内の電装品は、通常、プリント配線基板に実装される。具体的には、パワートランジスタ、電解コンデンサ、ダイオードブリッジ、制御回路用のＩＣなどが、プリント配線基板に実装される。
【０００３】
空気調和機の室外機内は、図４に示すように、熱交換器およびファンを配設する熱交換室Ｓ１と、圧縮機などの電気部品を配設する機械室Ｓ２とに、室外機の前後方向に延びる仕切り板２１を介して区画されている。電装品は、電装品ユニット２５０と称する箱体内にプリント配線基板と共に収納配置されており、その電装品ユニット２５０のケーシング部は、難燃性樹脂や金属等の難燃性材料からなるものでできている。電装品ユニット２５０は、例えば図４のように、仕切り板２１をまたぐようにしながら室外機ケーシングの天面に沿って取付けられている。そのため、図１２に示すように、仕切り板２１をまたいでいる電装品ユニット２５０内には、室外機の送風ファン２４の回転時に、機械室Ｓ２からの空気が熱交換室Ｓ１へ流れ出るという空気の流れＦができるようになっている。そして、この空気の流れＦは、電装品付近に滞留している熱Ｔ０を矢印Ｆ０の方向へ拡散させている（例えば、特許文献１参照）。ここで、この熱Ｔ０は、所定の発熱部品から生じた熱Ｔが流れ出て、所定の発熱部品以外の電装品周辺に滞留しているものである。
【０００４】
なお、電子部品が発火しても、それから立ち上る炎が電装品ユニットの密閉した上面部に遮られて延焼が起きないように、この電装品ユニットの上面部は、密閉構造にしている。
ところで、近年、圧縮機の運転を周波数制御（換言すれば、インバータ制御）することにより性能を向上させる技術が多用されるようになってきているが、インバータ制御のためにはパワートランジスタなどの発熱部品が必要であり、そのような発熱部品は冷却しなければならない。そのため、インバータ制御素子に放熱フィンを有する放熱器を直付けしてケーシング内の通風路に配置する一方、各種運転用制御素子を有する制御基板をケーシングの機械室前面に配置するというように、両者を離したレイアウトを採ることが行われている。
【０００５】
【特許文献１】
特開平９−６０９２８号公報
【０００６】
【発明が解決しようとする課題】
電装品ユニット内にできる空気の流れＦは、上述の通り、室外機の送風ファン２４で風を引いてやることで生み出されている。したがって、所定の発熱部品から生ずる熱Ｔは、送風ファン２４の運転時には拡散されていることになる。
しかし、送風ファン２４の回転数を落とす制御を行った場合には、電装品ユニット内の空気の流れも少なくなる。そうすると、図１２に示すように、所定の発熱部品から生じた熱Ｔは拡散されずに、他の電装品の周辺に滞留するようになる。この他の電装品の周辺に滞留する熱Ｔ０は、電装品の温度を上げてしまうため、電装品の使用条件に制約をかけたりする原因となり、引いては空気調和装置の室外機に対する信頼性の低下や性能の低下を招くことになる。
【０００７】
本発明の課題は、所定の発熱部品から発生する熱が他の電装品へ漏れ出すことを抑え、空気調和装置の室外機の信頼性や性能を確保することにある。
【０００８】
【課題を解決するための手段】
請求項１に係る室外機の電装品ユニットは、空気調和装置の室外機において所定の発熱部品を含む複数の電装品を収納する電装品ユニットであって、基板と、ケーシングと、仕切り部材とを備えている。基板は、複数の電装品を実装している。ケーシングは、基板を取り囲むものである。仕切り部材は、ケーシングの内部を、所定の発熱部品がある第１空間と所定の発熱部品以外の電装品がある第２空間とに仕切る。
【０００９】
ここでは、所定の発熱部品から発生する熱がうまく拡散されずに、所定の発熱部品以外の電装品へ漏れだして行きやすくなってしまう恐れがある。しかしながら、請求項１の電装品ユニットでは、所定の発熱部品がある第１空間と所定の発熱部品以外の電装品がある第２空間との間に仕切り部材を備えており、両空間を仕切っている。したがって、所定の発熱部品から生じた熱が所定の発熱部品以外の電装品のほうへ漏れ出すことを抑えることができ、空気調和装置の室外機の信頼性や性能を確保することができる。
【００１０】
請求項２に係る室外機の電装品ユニットは、請求項１に記載の電装品ユニットであって、基板は、その下面が複数の電装品を実装する実装面となっている。また、仕切り部材は、第１仕切り板を有している。第１仕切り部材は、ケーシングから基板に向けて上方に延びており、ケーシングの内部のうち基板の下方の空間を、第１空間と第２空間とに仕切る。
【００１１】
ここでは、基板の下面が電装品を実装する実装面となっているので、電装品の下方において空気が流れていても、電装品と基板との接合部付近においては空気の流れが弱くなっている。このため、基板の下面の電装品接合部付近で熱が滞留しやすい。したがって、所定の発熱部品から生じた熱が漏れだして他の電装品と基板との接合部付近において滞留してしまうと、これらの電装品に悪影響を与えてしまう恐れがある。
【００１２】
しかしながら、請求項２の電装品ユニットでは、ケーシングから基板に向けて上方に延びた第１仕切り部材によって、ケーシング内部のうち基板の下面の空間を第１空間と第２空間とに仕切っている。このため、所定の発熱部品から生じた熱が基板の下方を通って所定の発熱部品以外の電装品付近に漏れ出すことを抑えることができ、所定の発熱部品以外の電装品に与える悪影響を少なくすることができる。
【００１３】
請求項３に係る室外機の電装品ユニットは、請求項２に記載の電装品ユニットであって、仕切り部材は、さらに、第２仕切り板を有している。第２仕切り部材は、ケーシングから基板に向けて下方に延びており、ケーシングの内部のうち基板の上方の空間を、第１空間と第２空間とに仕切る。
請求項３の電装品ユニットでは、ケーシングから基板に向けて下方に延びた第２仕切り部材をさらに採用して、ケーシング内部のうち基板の上面の空間も第１空間と第２空間とに仕切っている。これにより、所定の発熱部品から生じた熱が基板の上方を通って所定の発熱部品以外の電装品付近に漏れ出すことを抑えることができ、所定の発熱部品以外の電装品に与える悪影響をより確実に抑えることができる。
【００１４】
請求項４に係る室外機の電装品ユニットは、請求項１から３のいずれかに記載の電装品ユニットであって、仕切り部材は、基板との距離が２ｍｍ以内である。ここでは、ケーシングの内部を、所定の発熱部品がある第１空間と所定の発熱部品以外の電装品がある第２空間とに仕切る場合であっても、第１空間と第２空間とを行き来できる隙間が広い場合は、所定の発熱部品からの熱が、所定の発熱部品以外の電装品付近にまで漏れだしてしまう。しかし、請求項４の電装品ユニットでは、仕切り部材は、基板との距離が２ｍｍ以内のものを採用しており、第１空間と第２空間とを行き来できる隙間が非常に狭くなっている。これにより、第１空間から第２空間へ漏れだそうとする熱のほとんどを遮断することができ、所定の発熱部品以外の電装品に与える悪影響を十分に抑えることができる。
【００１５】
なお、仕切り部材と基板との距離は、好ましくは「０〜１．５ｍｍ」、より好ましくは「０〜１ｍｍ」である。
請求項５に係る室外機の電装品ユニットは、請求項１から４のいずれかに記載の電装品ユニットであって、所定の発熱部品は、パワートランジスタである。
ここで、パワートランジスタとは、最大定格のコレクタ損失が１Ｗ以上のものをいう。
【００１６】
所定の発熱部品がパワートランジスタの場合には発熱が著しいため、特に、他の電装品に与える影響が大きい。しかし、請求項５の電装品ユニットでは、所定の発熱部品がパワートランジスタの場合であっても、パワートランジスタのある第１空間とパワートランジスタ以外の電装品がある第２空間とを仕切る仕切り部材を採用している。これにより、第１空間から第２空間へ漏れだそうとする熱のほとんどを遮断することができ、パワートランジスタ以外の電装品の寿命向上や使用限界電流値の向上などが実現するようになる。
【００１７】
請求項６に係る室外機の電装品ユニットは、請求項１から４のいずれかに記載の電装品ユニットであって、所定の発熱部品は、複数の電装品の中で最も発熱量の大きい部品（以下、最発熱部品という。）である。
所定の発熱部品が最発熱部品である場合には、他の電装品に与える悪影響が一番大きくなってしまう。しかし、請求項６の電装品ユニットでは、所定の発熱部品が最発熱部品である場合であっても、最発熱部品がある第１空間と最発熱部品以外の電装品がある第２空間とを仕切る仕切り部材を採用している。これにより、最発熱部品から生ずる熱が最発熱部品以外の電装品付近に漏れ出すことを抑えることができ、所定の発熱部品以外の電装品の寿命向上や使用限界電流値の向上などが実現するようになる。
【００１８】
請求項７に係る室外機の電装品ユニットは、請求項１から６のいずれかに記載の電装品ユニットであって、所定の発熱部品には、放熱フィンを有する放熱器が装着される。
ここでは、所定の発熱部品がある第１空間と所定の発熱部品以外の電装品がある第２空間とに仕切っているので、第１空間では、所定の発熱部品からの熱は拡散されずに第１空間内に滞留してしまう恐れがある。しかし、請求項７に係る電装品ユニットでは、所定の発熱部品に放熱フィンを有する放熱器が装着されている。このため、所定の発熱部品から生じた熱の多くは、この放熱フィンを有する放熱器から放出されるので、第１空間内の熱の蓄積を防ぐことができる。この結果、所定の発熱部品自体の性能を正常に保ちやすくなり、また、所定の発熱部品以外の電装品付近へ漏れ出す熱もより効果的に減少させることができる。
【００１９】
請求項８に係る室外機の電装品ユニットは、請求項１から７のいずれかに記載の電装品ユニットであって、第１空間および第２空間それぞれにおいて空気の流れが発生するように、ケーシングに複数の開口が形成されている。
ここでは、第１空間および第２空間それぞれにおいて、ケーシングに複数の開口が形成されている。これにより、第１空間および第２空間それぞれにおいて空気の流れが発生するようになり、両空間に滞留していた熱をこれらの複数の開口から逃がしてやることができる。この結果、第１空間の所定の発熱部品の性能を正常に保ちやすくなり、また、第２空間の所定の発熱部品以外の電装品に与える悪影響も効果的に減少させることができる。
【００２０】
【発明の実施の形態】
本発明の一実施形態が採用される空気調和機の外観構成を図１に示す。
本発明の一実施形態に係る電装品ユニットおよびそれを含む室外機は、図２に冷媒回路を示す空気調和装置１において用いられる。空気調和装置１は、室内の壁面などに取り付けられる室内機２と、室外に設置される室外機３とから構成されている。
【００２１】
＜室内機の構成＞
室内機２には、室内熱交換器７が設けられている。この室内熱交換器７は、長さ方向両端で複数回折り返されてなる伝熱管と、伝熱管が挿通される複数のフィンとからなり、接触する空気との間で熱交換を行う。また、室内機２内には、クロスフローファン８と、クロスフローファン８を回転駆動する室内ファンモータ９とが設けられている。クロスフローファン８は、円筒形状に構成され、周面には回転軸方向に羽根が設けられており、回転軸と交わる方向に空気流を生成する。このクロスフローファン８は、室内空気を室内機２内に吸い込ませるとともに、室内熱交換器７を流れる冷媒との間で熱交換を行った後の空気を室内に吹き出させる。
【００２２】
＜室外機の構成＞
室外機３には、圧縮機３１と、圧縮機３１の吐出側に接続される四路切換弁３２と、圧縮機３１の吸入側に接続されるアキュムレータ３１ａと、四路切換弁３２に接続された室外熱交換器４０と、室外熱交換器４０に接続された電動弁３４とが設けられている。電動弁３４は、フィルタ２６および液閉鎖弁３５を介して冷媒配管６ａに接続されており、この冷媒配管６ａを介して室内熱交換器７の一端と接続される。また、四路切換弁３２は、ガス閉鎖弁３３を介して冷媒配管６ｂに接続されており、この冷媒配管６ｂを介して室内熱交換器７の他端と接続されている。また、室外機３には、室外熱交換器４０での熱交換後の空気を外部に排出するための送風ファン２４が設けられている。この送風ファン２４は、室外ファンモータ２３によって回転駆動される。
【００２３】
図３は、室外機３の分解斜視図である。ここに示すように、室外機３は、ケーシング底板１０、ベルマウス付きの前板１１、側板１２，１３、後面保護金網１４、天板１５などで構成されるケーシングを備えている。また、ここでは、側板１２の外方にさらに閉鎖弁カバー１６が取り付けられる。
室外機３の内部は、仕切り板２１によって、室外熱交換器４０等が配置され外気が十分に通る熱交換室Ｓ１と、外気からある程度隔離された機械室Ｓ２とに分けられる（図４参照）。
【００２４】
熱交換室Ｓ１内には、送風ファン２４、室外ファンモータ２３、後方から側方にかけて略Ｌ字形状に形成された室外熱交換器４０などが配置される。
機械室Ｓ２内には、圧縮機３１、四路切換弁３２、ガス閉鎖弁３３、電動弁３４、液閉鎖弁３５などの部品が配置される。リアクタ３０は、仕切り板２１の機械室Ｓ２側の側面に配置され、後述する電装品ユニット５０内のプリント配線基板７１から伸びるリアクタ用ワイヤハーネス３０１が接続される。圧縮機３１は、リアクタ３０の下方に配置され、室外機３のケーシング底板１０に固定される。圧縮機３１には、圧縮機用ワイヤハーネス３１１の一端が接続される。四路切換弁３２は、圧縮機３１の側方に配置される。四路切換弁３２は、四路切換弁コイル３２０を有している。この四路切換弁コイル３２０は、四路切換弁用ワイヤハーネス３２１と接続される。電動弁３４は、四路切換弁３２と共に圧縮機３１の側方に配置されており、電動弁用コイル３４０を有している。この電動弁用コイル３４０は、電動弁用コイル用ワイヤハーネス３４１の一端と接続される。
【００２５】
室外機３の内部の上方空間には、電装品ユニット５０が配置される。この電装品ユニット５０は、プリント配線基板７１を有しており、室外機３の各部品を制御するためのマイクロコンピュータチップや制御プログラムを格納するメモリなどの電装品をプリント配線基板７１に実装している。
図４に、電装品ユニット５０と他の部品との配置の概略を示す。
【００２６】
電装品ユニット５０は、熱交換室Ｓ１と機械室Ｓ２とにまたがるように配置されている。機械室Ｓ２の電装品ユニット５０の下方空間には、リアクタ３０、圧縮機３１、四路切換弁３２、電動弁３４などの部品が配置されることになる。これらの部品と電装品ユニット５０とは、それぞれワイヤハーネス３０１，３１１，３２１，３４１により接続される（図３参照）。さらに、機械室Ｓ２内には、図示しない各種サーミスタが配置されており、これらのサーミスタも電装品ユニット５０と接続される。一方、熱交換室Ｓ１に配置されるファンモータ２３も、ワイヤハーネス２３１により電装品ユニット５０と接続される。
【００２７】
＜室外機の電装品ユニットの詳細構成＞
図５は、電装品ユニット５０の正面視断面図である。この電装品ユニット５０は、多数の電装品を実装したプリント配線基板７１をプラスチック製のケーシング９０で覆ったものであり、熱交換室Ｓ１と機械室Ｓ２とにまたがって配置されている。プリント配線基板７１は、その下面が実装面７１ａとなっており、この面にパワートランジスタ８８やコンデンサ８１，８２，８３を含む複数の電装品を有している。プリント配線基板７１も熱交換室Ｓ１と機械室Ｓ２とにまたがっているが、プリント配線基板７１のうち機械室Ｓ２にある部分の下方については、ケーシング９０に大きな開口Ｐが形成されている。プリント配線基板７１は、その下面７１ａが電装品を実装する実装面となっており、この下面７１ａには、コンデンサ８１，８２，８３、パワートランジスタ８８、ダイオードブリッジ、制御回路用のＩＣなどの多くの電装品が実装されている。そして、この下面の大きな開口Ｐを介して、圧縮機３１、四路切換弁３２、電動弁３４、ファンモータ２３などに接続されたワイヤハーネスが、プリント配線基板７１の下面７１ａに実装された複数のコネクタに接続される。
【００２８】
このプリント配線基板７１の熱交換室Ｓ１側の端部には、パワートランジスタ８８が実装されている。このパワートランジスタ８８は、最大定格のコレクタ損失が１Ｗ以上のトランジスタであり、発熱量が非常に多い電装品（発熱部品）であり、複数の電装品の中で最も発熱量の大きい部品となっている。そして、ケーシング９０の内部空間において、パワートランジスタ８８がある第１空間Ｒ１１，Ｒ１２は、他の電装品がある第２空間Ｒ２１，Ｒ２２とは、第１仕切り板９６と第２仕切り板９５を設けることによって隔離して配置されている。具体的には、図７に示すように、第１仕切り板９６が、ケーシング９０からプリント配線基板７１に向けて上方に延び、基板の下方の空間をパワートランジスタ８８がある第１空間Ｒ１１と他の電装品がある第２空間Ｒ２１とに隔離している。そして、第２仕切り板９５が、ケーシング９０からプリント配線基板７１に向けて下方に延び、基板の上方の空間をパワートランジスタ８８がある第１空間Ｒ１２と他の電装品がある第２空間Ｒ２２とに隔離している。図８（仕切り板近傍の拡大図）に示すように、第１仕切り板９６および第２仕切り板９５は、熱膨張や歪みを考慮してプリント配線基板７１との距離ｔが約１ｍｍになるように延ばされている。また、第１仕切り板９６および第２仕切り板９５は、プリント配線基板７１の端から端まで設けられている。
【００２９】
このパワートランジスタ８８は、放熱フィンを有する放熱器８９を装着している。そして、この放熱器８９は、パワートランジスタ８８からの熱を逃がす放熱器として働いている。また、放熱器８９は、ケーシング９０のケーシング側部９３の近傍にネジ止めされるとともに、それらのネジ８８ａ（図６参照）によってプリント配線基板７１にもネジ止めされている。これらのネジ止めは、放熱器８９のパワートランジスタ８８への装着の役割を果たすとともに、ケーシング９０とプリント配線基板７１との固定の役割も果たしている。
【００３０】
ケーシング９０は、図５に示すように、ケーシング下部９２、ケーシング側部９３，９４、ケーシング蓋部９１などから構成されている。ケーシング下部９２は、熱交換室Ｓ１においてはプリント配線基板７１の下方をカバーしているが、機械室Ｓ２においてはプリント配線基板７１の下方の一部をカバーしているにすぎない。すなわち、上記のように、プリント配線基板７１のうち機械室Ｓ２にある部分の下方については、ケーシング９０のケーシング下部９２に大きな開口Ｐが形成されている。また、ケーシング下部９２には、仕切り板２１との干渉を回避するための凹部９２ａが形成されている。ケーシング蓋部９１は、プリント配線基板７１の上方を覆っている。
【００３１】
＜特徴＞
（１）室外機３においては、送風ファン２４により生じる空気の流れは、電装品ユニット５０のケーシング９０内においても、図５の１点鎖線の矢印Ｆで示すような空気流れＦを生じさせる。ここでは、パワートランジスタ８８から生じた熱Ｔが、パワートランジスタ８８以外の電装品付近にまで漏れだして滞留している場合がある。しかし、このパワートランジスタ８８以外の電装品付近に滞留している熱Ｔ０は、空気流れＦによって拡散される。したがって、空気流れＦがある場合は、パワートランジスタ８８以外の電装品の温度が上がらないようにすることができる。
【００３２】
但し、送風ファン２４の回転数を落とす制御した場合には、空気流れＦは弱いものとなる。このため、パワートランジスタ８８から漏れだしてパワートランジスタ８８以外の電装品付近で滞留している熱Ｔ０は、拡散されることなく蓄積していき、パワートランジスタ８８以外の電装品の温度を上げてしまう恐れがある。そうすると、パワートランジスタ８８以外の電装品の寿命を低下させたり、使用条件に制約をかけたりする原因となり、引いては空気調和装置の室外機に対する信頼性の低下や性能の低下を招くことになる。
【００３３】
しかしながら、室外機３の電装品ユニット５０では、ケーシング９０からプリント配線基板７１に向けて第１仕切り板９６と第２仕切り板９５が延びている。したがって、図７に示すように、パワートランジスタ８８から生ずるの熱Ｔは、点線で示す矢印Ｂ１，Ｂ２のようにして第１仕切り板９６と第２仕切り板９５によって遮断されることにより、第２空間Ｒ２１Ｒ２２に漏れ出しにくくなる。これにより、パワートランジスタ８８以外の電装品がパワートランジスタ８８からの熱Ｔにより受ける悪影響を抑えることができる。
【００３４】
このように、室外機３では、送風ファン２４の回転数の多い場合少ない場合にかかわらず、パワートランジスタ８８以外の電装品が正常に機能しやすく、空気調和装置の室外機の信頼性や性能を確保することができる。
（２）図９に示す電装品ユニット１５０では、第１空間Ｒ１１，Ｒ１２および第２空間Ｒ２１，Ｒ２２それぞれにおいて、ケーシング９０には、複数の開口Ｏ１，Ｏ２，Ｏ３，Ｏ４が形成されている。これにより、１点鎖線の矢印で示す空気の流れＦ１，Ｆ２，Ｆ３，Ｆ４が形成されて、パワートランジスタ８８から生じた熱Ｔが電装品ユニット１５０外へと放出されるようになっている。
【００３５】
これにより、パワートランジスタ８８のある第１空間Ｒ１１，Ｒ１２に滞留している熱は、空気の流れＦ３，Ｆ４によって、複数の開口Ｏ３、開口Ｏ４から放出される。また、パワートランジスタ８８以外の電装品のある第２空間Ｒ２１，Ｒ２２に滞留している熱は、空気の流れＦ１，Ｆ２によって、複数の開口Ｏ１、開口Ｏ２から放出される。これにより、第１空間Ｒ１１，Ｒ１２および第２空間Ｒ２１，Ｒ２２での熱の滞留が殆ど無くなる。この結果、第１空間Ｒ１１，Ｒ１２のパワートランジスタ８８自体の性能を正常に保ちやすくなり、また、第２空間へ漏れだす可能性のある第１空間内の熱をより効果的に減少させることができる。また、パワートランジスタ８８以外の電装品のある第２空間での熱の滞留も抑えられ、これらの電装品の機能も正常に保たれやすくなる。そして、パワートランジスタ８８の冷却の程度も向上するので、パワートランジスタ８８の寿命向上や使用限界電流値の向上などが実現するようになる。
【００３６】
＜変形例Ａ＞
ケーシング９０からプリント配線基板７１に向かって延びている第１仕切り板９６および第２仕切り板９５を設ける代わりに、延びる方向を反対にして、プリント配線基板７１からケーシング９０に向かって延びている仕切り板を設けることも考えられる。さらには、仕切り板の延びる方向（基板からケーシングもしくはケーシングから基板）の組み合わせも、基板の上面もしくは下面においてそれぞれ考えられる。たとえば、図１０（ａ）に示すように、プリント基板の上面ではプリント配線基板７１からケーシング９０に向かって上方に延びている第２仕切り板９５ａを備え、プリント基板の下面ではケーシング９０からプリント配線基板７１に向かって下方に延びている第１仕切り板９６ａを備えた電装品ユニットも考えられる。
【００３７】
さらに、図１０（ｂ）に示すように、プリント基板の上面ではケーシング９０からプリント配線基板７１に向かって下方に延びている第２仕切り板９５ｂを備え、プリント基板の下面ではプリント配線基板７１からケーシング９０に向かって下方に延びている第１仕切り板９６ｂを備えた電装品ユニットも考えられる。ここでは、空間の上方に沿うようにして滞留しやすい熱の性質を考慮して、この電装品ユニットでは、プリント配線基板７１のすぐ下に滞留しがちな熱Ｔ１および第１空間の上方に滞留しがちな熱Ｔ２が他の電装品に漏れないように、効果的に遮断することができる。これにより、パワートランジスタ８８以外の電装品に伝わる熱量が少なくなり、これらの電装品付近の熱が減少するので、室外機３の信頼性や性能を確保することができるようになる。
【００３８】
＜変形例Ｂ＞
図５や、図９に示す仕切り板は鉛直方向に延びているが、図１１に示す第１仕切り板９６ｃ，第２仕切り板９５ｃように、弁のように斜めに傾けて配置することも考えられる。ここで、この弁のように傾いた第１仕切り板９６ｃ，第２仕切り板９５ｃは、空気の流れやすい方向を決めるものであり、第２空間から第１空間へは空気が流れやすく、第１空間から第２空間へは空気が流れにくいようになっている。これにより、プリント配線基板７１のすぐ下に滞留しがちな熱Ｔ１と、第１空間の上方に滞留しがちな熱Ｔ２は、パワートランジスタ８８以外の電装品がある第２空間Ｒ２１，Ｒ２２の方へは流れ出しにくくなる。したがって、パワートランジスタ８８以外の電装品のある第２空間では、入ってくる熱が減るために熱の滞留も抑えられる。また、パワートランジスタ８８以外の電装品がある第２空間Ｒ２１，Ｒ２２からパワートランジスタ８８のある第１空間Ｒ１１，Ｒ１２の方向へは空気が流れやすくなり、送風ファン２４による空気の流れＦは、開口Ｏ１から流れ出るＦ１だけでなく、第１空間ほうへも流れていく空気流れＦ１１のようにも流れるようになる。第１空間に流れ込んだ空気流れＦ１１は、第１空間内に滞留している熱を拡散して、開口Ｏ３や開口Ｏ４から空気流れＦ３と空気流れＦ４として出ていくので、パワートランジスタ８８を冷やしてやることもできるようになる。
【００３９】
【発明の効果】
請求項１に係る室外機の電装品ユニットでは、所定の発熱部品がある第１空間と所定の発熱部品以外の電装品がある第２空間との間に仕切り部材を備えており、両空間を仕切っている。したがって、所定の発熱部品から生じた熱が所定の発熱部品以外の電装品のほうへ漏れ出すことを抑えることができ、空気調和装置の室外機の信頼性や性能を確保することができる。
【００４０】
請求項２に係る室外機の電装品ユニットでは、ケーシングから基板に向けて上方に延びた第１仕切り部材によって、ケーシング内部のうち基板の下面の空間を第１空間と第２空間とに仕切っている。このため、所定の発熱部品から生じた熱が基板の下方を通って所定の発熱部品以外の電装品付近に漏れ出すことを抑えることができ、所定の発熱部品以外の電装品に与える悪影響を少なくすることができる。
【００４１】
請求項３に係る室外機の電装品ユニットでは、ケーシングから基板に向けて下方に延びた第２仕切り部材をさらに採用して、ケーシング内部のうち基板の上面の空間も第１空間と第２空間とに仕切っている。これにより、所定の発熱部品からの熱が基板の上方を通って所定の発熱部品以外の電装品に漏れ出すことを抑えることができ、所定の発熱部品以外の電装品に与える悪影響をより確実に抑えることができる。
【００４２】
請求項４に係る室外機の電装品ユニットでは、仕切り部材は、基板との距離が２ｍｍ以内のものを採用しており、第１空間と第２空間とを行き来できる隙間が非常に狭くなっている。これにより、第１空間から第２空間へ漏れだそうとする熱のほとんどを遮断することができ、所定の発熱部品以外の電装品に与える悪影響を十分に抑えることができる。
請求項５に係る室外機の電装品ユニットでは、所定の発熱部品がパワートランジスタの場合であっても、パワートランジスタのある第１空間とパワートランジスタ以外の電装品がある第２空間とを仕切る仕切り部材を採用している。これにより、第１空間から第２空間へ漏れだそうとする熱のほとんどを遮断することができ、パワートランジスタ以外の電装品の寿命向上や使用限界電流値の向上などが実現するようになる。
【００４３】
請求項６に係る室外機の電装品ユニットでは、所定の発熱部品が最発熱部品である場合であっても、最発熱部品がある第１空間と最発熱部品以外の電装品がある第２空間とを仕切る仕切り部材を採用している。これにより、最発熱部品から生ずる熱が最発熱部品以外の電装品付近に漏れ出すことを抑えることができ、所定の発熱部品以外の電装品の寿命向上や使用限界電流値の向上などが実現するようになる。
【００４４】
請求項７に係る室外機の電装品ユニットでは、所定の発熱部品に放熱フィンを有する放熱器が装着されている。このため、所定の発熱部品から生じた熱の多くは、この放熱フィンを有する放熱器から放出されるので、第１空間内の熱の蓄積を防ぐことができる。この結果、所定の発熱部品自体の性能を正常に保ちやすくなり、また、所定の発熱部品以外の電装品付近へ漏れ出す熱もより効果的に減少させることができる。
【００４５】
請求項８に係る室外機の電装品ユニットでは、第１空間および第２空間それぞれにおいて、ケーシングに複数の開口が形成されている。これにより、第１空間および第２空間それぞれにおいて空気の流れが発生するようになり、両空間に滞留していた熱をこれらの複数の開口から逃がしてやることができる。この結果、第１空間の所定の発熱部品の性能を正常に保ちやすくなり、また、第２空間の所定の発熱部品以外の電装品に与える悪影響も効果的に減少させることができる。
【図面の簡単な説明】
【図１】本発明の一実施形態に係る空気調和機の外観図。
【図２】冷媒回路および空気流れを示す図。
【図３】室外機の分解斜視図。
【図４】電装品ユニット内の空気流れを示す室外機の正面図。
【図５】電装品ユニットの正面視断面図。
【図６】電装品ユニットを斜め上から見た斜視図。
【図７】電装品ユニット内のパワートランジスタ近傍の拡大図。
【図８】仕切り板近傍の拡大図。
【図９】開口のある電装品ユニット内のパワートランジスタ近傍の拡大図。
【図１０】変形例Ａにおける電装品ユニットの正面視断面図。
【図１１】変形例Ｂにおける電装品ユニットの正面視断面図。
【図１２】従来の電装品ユニットの正面視断面図。
【符号の説明】
３　　室外機
５０　　電装品ユニット
７１　　プリント配線基盤
７１ａ　実装面
８８　　パワートランジスタ
８９　　放熱器
９０　　ケーシング
９５，９５ａ，９５ｂ，９５ｃ　　第１仕切り板（仕切り部材）
９６，９６ａ，９６ｂ，９６ｃ　　第２仕切り板（仕切り部材）
１５０　　電装品ユニット
Ｆ１，Ｆ２，Ｆ３，Ｆ４　　空気の流れ
Ｏ１，Ｏ２，Ｏ３，Ｏ４　　開口
Ｒ１１，Ｒ１２　　第１空間
Ｒ２１，Ｒ２２　　第２空間
【図１】
2004093085.tif 000003
【図２】
2004093085.tif 000004
【図３】
2004093085.tif 000005
【図４】
2004093085.tif 000006
【図５】
2004093085.tif 000007
【図６】
2004093085.tif 000008
【図７】
2004093085.tif 000009
【図８】
2004093085.tif 000010
【図９】
2004093085.tif 000011
【図１０】
2004093085.tif 000012
【図１１】
2004093085.tif 000013
【図１２】
2004093085.tif 000014